(57)【特許請求の範囲】
【請求項１】
扉の裏面側に延設された支持箱に上面開口の容器を載置した構造になるドロワが、貯蔵室内に引き出し可能に装置された冷却貯蔵庫であって、
前記容器の底面に開口が形成され、かつ前記支持箱の底面における奥側に排水口が形成される一方、前記貯蔵室内には、前記排水口の移動域の下方において水受け板が配されるとともに、この水受け板で受けた水を集めて外部に流下させる樋が設けられていることを特徴とする冷却貯蔵庫。
【請求項２】
前記ドロワが左右一対配設される場合において、前記排水口が隣接する端部側に寄せて設けられ、各排水口の移動域の下方で一対の前記水受け板が配されるとともに、この両水受け板の間に前記樋が設けられていることを特徴とする請求項１記載の冷却貯蔵庫。
【請求項３】
扉の裏面側に上面開口の収容部が設けられてなるドロワが左右一対備えられて、貯蔵室内に引き出し可能に装置された冷却貯蔵庫であって、
前記各収容部には、それぞれ奥側の底面における互いに隣接する端部側に寄った位置に排水口が開口される一方、前記貯蔵室内には、前記各排水口の移動域の下方にそれぞれ対応して一対の水受け板が配されるとともに、この両水受け板の間に、両水受け板で受けた水を集めて外部に流下させる樋が設けられていることを特徴とする冷却貯蔵庫。
【発明の詳細な説明】
【０００１】
【発明の属する技術分野】
本発明は、ドロワ式の冷却貯蔵庫の排水構造に関するものである。
【０００２】
【従来の技術】
冷蔵庫の一形式として、ドロワ（引き出し）形式のものが知られている。このものは、例えば特許第２９６７１８１号公報に記載されているように、扉の裏面側に枠体を延設してなるドロワにホテルパンが載置されるとともに、枠体の左右の枠が貯蔵室内に配されたレールに移動自由に支持されることにより、ホテルパンが貯蔵室に引き出し可能に収容された構造となっている。
【０００３】
【発明が解決しようとする課題】
ところで、ホテルパンには食材から出た汁等が付着しやすいため、適宜に外部に取り出して水洗いすることが望ましいが、洗浄後の排水がしやすいように、ホテルパンの中には、底面の所定位置に排水口を開口したものがある。
しかしながら、このようなホテルパンを使用した場合には、食材を詰めて貯蔵室に収容した際、食材から出た水分等が排水口から洩れ出、下の段のホテルパンの中に入って不衛生となるおそれがあった。尤も、排水口に専用の栓を設ければよいが、水洗いする度に栓を開け閉めしなければならないし、紛失等も懸念されて取り扱いが煩わしいという問題があった。
本発明は上記のような事情に基づいて完成されたものであって、その目的は、ドロワの収容部の排水口から洩れた水分等を所定位置に排水できるようにするところにある。
【０００４】
【課題を解決するための手段】
上記の目的を達成するための手段として、請求項１の発明は、扉の裏面側に延設された支持箱に上面開口の容器を載置した構造になるドロワが、貯蔵室内に引き出し可能に装置された冷却貯蔵庫であって、前記容器の底面に開口が形成され、かつ前記支持箱の底面における奥側に排水口が形成される一方、前記貯蔵室内には、前記排水口の移動域の下方において水受け板が配されるとともに、この水受け板で受けた水を集めて外部に流下させる樋が設けられている構成としたところに特徴を有する。
【０００５】
請求項２の発明は、請求項１に記載のものにおいて、前記ドロワが左右一対配設される場合において、前記排水口が隣接する端部側に寄せて設けられ、各排水口の移動域の下方で一対の前記水受け板が配されるとともに、この両水受け板の間に前記樋が設けられているところに特徴を有する。
請求項３の発明は、扉の裏面側に上面開口の収容部が設けられてなるドロワが左右一対備えられて、貯蔵室内に引き出し可能に装置された冷却貯蔵庫であって、前記各収容部には、それぞれ奥側の底面における互いに隣接する端部側に寄った位置に排水口が開口される一方、前記貯蔵室内には、前記各排水口の移動域の下方にそれぞれ対応して一対の水受け板が配されるとともに、この両水受け板の間に、両水受け板で受けた水を集めて外部に流下させる樋が設けられているところに特徴を有する。
【０００６】
【発明の作用及び効果】
＜請求項１の発明＞
容器内の食材から出た水分等が開口から支持箱に流出したのち排水口から洩れ出ると、水受け板で受けられたのち、樋に集められて庫外に排出される。
食材からの水分等が他のドロワの容器内等に入ることが防止されて、衛生的である。また、排水口が支持箱の奥側に設けられているとともに、この排水口の移動域の下方にわたって水受け板が配されているから、ドロワが引き出された状態でも排水口からの水分を受けることができる。
【０００７】
＜請求項２の発明＞
各支持箱の排水口から洩れ出た水分等は、対応する水受け板で受けられたのち共通の樋に集められて排出される。
＜請求項３の発明＞
各収容部の排水口から洩れ出た水分等は、対応する水受け板で受けられたのち共通の樋に集められて排出される。排水構造がすっきりとまとまり、また貯蔵室を上下に仕切る水受け板が幅方向の中央部にまとめられるから、その外側に冷気の通路を確保することができる。
【０００８】
【発明の実施の形態】
以下、本発明の一実施形態を図１ないし図９に基づいて説明する。
図１及び図２において、符号１０は断熱箱体からなる冷蔵庫本体であって、全体として縦長に形成され、底面の四隅に設けられた脚１１で支持されている。冷蔵庫本体１０内には上部貯蔵室１３と下部貯蔵室１４とが設けられており、上部貯蔵室１３には、食材等の貯蔵物を載置する複数段の棚網１５が設置され、前面の出入口１６に、左右一対の観音開き式の扉１７が装着されている。
【０００９】
一方、下部貯蔵室１４には、４個のドロワ２０が装着されている。下部貯蔵室１４の前面には、十字形の仕切枠２１が嵌着されることによって上下左右に分かれた４個の出入口２２が形成されており、ドロワ２０は、図３に示すように、出入口２２に前面側から接離して開閉する扉２３の裏面側に、浅皿の支持箱２４が延出して取り付けられており、この支持箱２４内にホテルパン２６が載置されている。このホテルパン２６はステンレス鋼板製であって、上面開放の深皿状に形成されており、内部に食材等の貯蔵物が収容できるようになっている。また、ホテルパン２６の中央部には開口２７が形成されている。
【００１０】
下部貯蔵室１４内には、上記の各出入口２２と対応する位置ごとに、前後方向を向いた左右一対ずつのレール３０が配設されている。図５に示すように、下部貯蔵室１４内の前面側における幅方向の中央部には、左右に間隔を開けた２本からなる中央レールマウント３１が立てられているとともに、下部貯蔵室１４の前面側における左右の側壁には、側部レールマウント３２が取り付けられている。左右一対のレール３０は、前端側をレールマウント３１または３２の側面に締結し、後端側を下部貯蔵室１４の背壁１４Ａに締結することにより、図２に示すように、少し奥下がりの姿勢によって出入口２２から背壁１４Ａにわたって対向状に配されている。
そして、上記したドロワ２０の支持箱２４の左右の側板２４Ａが左右のレール３０に挿入されて、ローラ３４を介して移動自由に支持され、ホテルパン２６を載置したドロワ２０が、ローラ３４を転動させつつ、図２の上段に示す引き出し位置と、同図の下段に示す収容位置との間で出し入れ可能とされている。
【００１１】
上記した上部貯蔵室１３の天井面には冷却器室３５が形成され、冷却器３６と庫内ファン３７とが装備されている。冷却器３６は、冷蔵庫本体１０の上面の機械室３９に装備された冷凍装置４０と配管接続されることで周知の冷凍サイクルが構成されている。冷凍装置４０と庫内ファン３７とが駆動されると、庫内空気が冷却器室３５内に吸引され、冷却器３６の近傍を通過する間に熱交換されて生成された冷気が、冷却器室３５の背面側に設けられたダクト４２から背壁１４Ａに沿って吹き出されるようになっている。
【００１２】
次に、下部貯蔵室１４における排水構造を説明する。
下部貯蔵室１４の内部は、上記したように各ドロワ２０がそれぞれ収容される上下左右の都合４個の領域に分けられている。ここで、各ドロワ２０の支持箱２４には、その底板２８に排水口２９が形成されている。この排水口２９は、それぞれ底板２８の奥側に形成されているが、図９に示すように、正面から見た左側の上下２個の領域に配されるドロワ２０の支持箱２４では、幅方向の右側縁に寄った位置に、逆に、正面から見た右側の上下２個の領域に配されるドロワ２０の支持箱２４では、幅方向の左側縁に寄った位置にそれぞれ形成されている。
また、下部貯蔵室１４の底面は、少し前下がりとなった傾斜面とされており、この底面の前縁における幅方向の中央部には、機体排水口４５が形成されている。
【００１３】
下部貯蔵室１４内における上側の左右の収容領域の下面側には、一対の水受け板５０が設けられている。この水受け板５０は、図４及び図５に示すように、下部貯蔵室１４の奥行き一杯の長さと、左右の各領域の略半分の幅とを有する平面略長方形状に形成されている。より詳細には、各水受け板５０は、手前の内側の角の部分が斜めに形成されており、この斜めの側縁と、内側の側縁の奥側の一部と、外側の側縁の全長にわたって側板５１が立ち上がって形成され、前後の側縁には、上記の側板５１よりも少し背の高い取付板５２が立ち上がって形成されている。一方、内側の側縁の奥側を除いた部分には、ほぼ下向きの流下板５３が曲げ形成されている。
【００１４】
そして、両水受け板５０は、図５及び図６に示すように、下部貯蔵室１４の幅方向の中央部で、かつ前面の仕切枠２１の横枠２１Ａと背壁１４Ａとの間において、内縁側を少し下げた斜め姿勢で、また内縁の間に所定幅の間隙を設けて配され、前側の取付板５２を横枠２１Ａに、また後側の取付板５２を背壁１４Ａにそれぞれネジ等で締結することによって固定されている。
これにより両水受け板５０は、図９に示すように、上側の左右のドロワ２０の支持箱２４における排水口２９の移動域の下方に配されたことになる。
【００１５】
また、両水受け板５０の間隙の下方には、樋５５が配設されている。この樋５５は、図４及び図５に示すように、下部貯蔵室１４の奥行き寸法にほぼ等しい長さと、両水受け板５０の間隙よりも少し大きい幅とを持っており、底面は、前側に向けて次第に深くなった傾斜状に形成されている。この樋５５の前端の底面に、排水管５６が下向きに取り付けられている。
この樋５５が、両水受け板５０の間隙の下方に配され、図７に示すように、前端側が、中央レールマウント３１に差し込まれて、アングル状のブラケット５７により固定され、また後端面の取付板５８が背壁１４Ａに固定されている。
これにより、両水受け板５０の流下板５３が樋５５の上面開口に臨んでおり、また、排水管５６の下端が機体排水口４５の直上に臨んでいる。
【００１６】
続いて、本実施形態の作用について説明する。
ドロワ２０にはホテルパン２６が載置され、このホテルパン２６内に食材等が収容されて冷蔵される。ここで、食材の種類によっては汁等の水分が染み出ることがあり、この水分はホテルパン２６の開口２７から支持箱２４内に流出したのち、排水口２９から洩れ出ることになる。この場合、上側のドロワ２０における支持箱２４の排水口２９から洩れ出た水分は、図８の矢線に示すように、水受け板５０上に滴下して受けられ、その傾斜に沿って内縁側に伝ったのち流下板５３から樋５５に向けて流れる。樋５５に流れ落ちた水分は、その底面の傾斜に倣って前端側に流れ、排水管５６から機体排水口４５を通って外部に排水される。なお、下側のドロワ２０の排水口２９から洩れ出た水分は、下部貯蔵室１４の底面に滴下し、その傾斜に沿って前縁側に流れたのち、同じく機体排水口４５を通って外部に排水される。
【００１７】
このように、特に上側のドロワ２０の排水口２９から水分が洩れ出た場合、その水分は、水受け板５０で受けられたのち、樋５５、排水管５６を通って機体排水口４５から機外に排出される。すなわち、上側のホテルパン２６からの排水が下側のホテルパン２６内に入り込むことが確実に避けられ、衛生面上で優れたものとなる。
また、水受け板５０は下部貯蔵室１４の奥行き一杯に配されているから、図９の鎖線に示すようにドロワ２０を引き出した場合や、引き出しの途中でも、支持箱２４の排水口２９は常に水受け板５０の上方にあって、排水口２９から洩れ出た水分は全て水受け板５０で受けられる。
【００１８】
また、左右のドロワ２０で排水口２９の位置を変え、すなわち庫内の幅方向の中央部に位置するようにしたから、水受け板５０も、庫内の幅方向の中央部に寄せて配され、左右の水受け板５０の幅方向の外側は開口されている。
下部貯蔵室１４には、冷却器室３５のダクト４２から背壁１４Ａに沿うようにして冷気が吹き出されるが、左右の水受け板５０の外側は開放されているから、その冷気は、図５及び図６の矢線に示すように、水受け板５０の外側の開放部分を通って下側の領域にも行き渡り、そこに収容された食材等も良好に冷却される。
【００１９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）ドロワの形式として、扉の裏面に枠体を延設してそこにホテルパンを載置するものもあるが、その場合は、ホテルパンの底面の奥側に排水口を開口すればよい。左右並べて収容される場合は、隣接する端縁側に寄った位置に形成すればよい。
（２）排水口の位置を特定すべきは上段側のみであって、下段については敢えて特定することを要しない。
（３）ドロワを３段以上に配したものにも同様に適用することができる。
【図面の簡単な説明】
【図１】本発明の一実施形態に係る冷蔵庫の正面図
【図２】その側断面図
【図３】ドロワの斜視図
【図４】排水受け部分の分解斜視図
【図５】下部貯蔵室内を示す平断面図
【図６】冷蔵庫の背面から見た断面図
【図７】樋の取付構造を示す側断面図
【図８】排水経路を示す側断面図
【図９】ドロワを引き出した状態を示す平断面図
【符号の説明】
１４…下部貯蔵室
２０…ドロワ
２３…扉
２４…支持箱
２６…ホテルパン
２７…開口
２８…（支持箱２４の）底板
２９…排水口
３０…レール
４５…機体排水口
５０…水受け板
５３…流下板
５５…樋
５６…排水管
【図１】
0003689300.tif 000002
【図２】
0003689300.tif 000003
【図３】
0003689300.tif 000004
【図４】
0003689300.tif 000005
【図５】
0003689300.tif 000006
【図６】
0003689300.tif 000007
【図７】
0003689300.tif 000008
【図８】
0003689300.tif 000009
【図９】
0003689300.tif 000010